(57)【特許請求の範囲】
【請求項１】
フロアーデッキに埋め込まれたスリーブ管の下側のデッキプレートの底板を切断する円筒形状の切断手段の内部に装着される底板落下防止装置であって、
前記切断手段の内側上端面に磁石により係止される係止盤と、
前記係止盤に回転可能に接続される第１係止手段と、
前記第１係止手段に接続される第１弾性体と、
前記第１弾性体の端部に接続される第２係止手段と、
前記第２係止手段に連結された支柱と、
前記支柱の先端部に設置され、前記支柱の軸と直交する軸回りに回転可能に設置された係留爪と、
前記第２係止手段と前記係留爪との間の前記支柱に設置された第２弾性体と、
前記係留爪と前記第２弾性体との間に設置され、前記係留爪の先端が止められる凹部を有する座金と、
を有することを特徴とする底板落下防止装置。
【請求項２】
前記係留爪は、長手方向に沿って延びる長尺形状を呈しており、
前記係留爪を回転させて、前記長手方向と前記支柱の軸方向とが平行となったときに、前記支柱の軸に直交する平面内において、前記係留爪の外形形状が前記支柱の外形形状からはみ出さず、
前記長手方向と前記支柱の軸方向とが直交方向となったときに、前記支柱の軸に直交する平面内において、前記係留爪の外形形状が前記支柱の外形形状からはみ出す、ことを特徴とする請求項１に記載の底板落下防止装置。
【請求項３】
前記第２係止手段が前記支柱に回転可能に接続されていることを特徴とする請求項１又は２に記載の底板落下防止装置。
【請求項４】
前記第１係止手段と前記第２係止手段が、フックであることを特徴とする請求項１乃至３のいずれか１項に記載の底板落下防止装置。
【請求項５】
前記第１弾性体と前記第２弾性体が、バネであることを特徴とする請求項１乃至４のいずれか１項に記載の底板落下防止装置。
【請求項６】
前記切断手段が、ダイヤモンドコアビットであることを特徴とする請求項１乃至５のいずれか１項に記載の底板落下防止装置。
【請求項７】
前記係止盤が、リング形状の磁石と前記磁石が収納されるケースとを有し、前記ケースの中央部に複数の貫通孔を有することを特徴とする請求項１乃至６のいずれか１項に記載の底板落下防止装置。
【発明の詳細な説明】
【技術分野】
【０００１】
本発明は、建築現場等においてデッキプレートの底板を除去する際に使用する底板落下防止装置に関する。
【背景技術】
【０００２】
一般に建造物のフロアーデッキは、鉄骨柱間に梁を取り付け、更に梁間にデッキプレートを取り付けて床を造った上にコンクリート床盤を形成して構成される。この際、コンクリート床盤に貫通孔を形成しなければならない場合がある。例えば、フロアーデッキ下部の階下に空調機器を設置しなければならず、配管を通す必要がある場合である。この場合、円筒形状のスリーブ管をコンクリート打ちの前に設置しておき、スリーブ管の設置後コンクリート打ちを行うのが通常である。
【０００３】
図８は、デッキプレート７０上のコンクリート８０に埋設されたスリーブ管５０を示す図である。スリーブ管５０は円筒形状を有しており、下端部はデッキプレート７０によって塞がれている。従来は、このスリーブ管５０の内部にダイヤモンドコアビット３０を挿入し、接続部３０ａを切断機（不図示）で回転させることによってダイヤモンドコアビット３０の刃部３０ｂでデッキプレート７０の底板７０ａを切断・除去し貫通孔を形成していた。
【０００４】
なお、例えば特許文献１には、フロアーデッキにスリーブ管を埋め込む際、スリーブ管を傾斜面に合わせて加工切断する作業が必要のないフロアーデッキへの穿孔方法に関する技術が開示されている。
【先行技術文献】
【特許文献】
【０００５】
【特許文献１】特開２００２−２９２６２２号公報
【発明の概要】
【発明が解決しようとする課題】
【０００６】
しかし、上記した上階の床側からダイヤモンドコアビットを有する切断機によってデッキプレート７０の底板７０ａを切断する方法では、切断された底板７０ａが階下に落下してしまい安全上問題である。他の作業者が例えば底板７０ａを支えながら切断作業を行わなければならない場合もあり、多くの時間と労力が必要であった。
【０００７】
本発明は、上記課題を解決するためになされたものであり、デッキプレートの底板を除去した際の、底板の落下を防止するための底板落下防止装置を提供することを目的とする。
【課題を解決するための手段】
【０００８】
本発明は、上記課題を解決するため以下の構成を有する。
【０００９】
（１）フロアーデッキに埋め込まれたスリーブ管の下側のデッキプレートの底板を切断する円筒形状の切断手段の内部に装着される底板落下防止装置であって、
前記切断手段の内側上端面に磁石により係止される係止盤と、
前記係止盤に回転可能に接続される第１係止手段と、
前記第１係止手段に接続される第１弾性体と、
前記第１弾性体の端部に接続される第２係止手段と、
前記第２係止手段に連結された支柱と、
前記支柱の先端部に設置され、前記支柱の軸と直交する軸回りに回転可能に設置された係留爪と、
前記第２係止手段と前記係留爪との間の前記支柱に設置された第２弾性体と、
前記係留爪と前記第２弾性体との間に設置され、前記係留爪の先端が止められる凹部を有する座金と、
を有することを特徴とする底板落下防止装置。
【００１０】
（２）前記係留爪は、長手方向に沿って延びる長尺形状を呈しており、
前記係留爪を回転させて、前記長手方向と前記支柱の軸方向とが平行となったときに、前記支柱の軸に直交する平面内において、前記係留爪の外形形状が前記支柱の外形形状からはみ出さず、
前記長手方向と前記支柱の軸方向とが直交方向となったときに、前記支柱の軸に直交する平面内において、前記係留爪の外形形状が前記支柱の外形形状からはみ出す、ことを特徴とする前記（１）に記載の底板落下防止装置。
【００１１】
（３）前記第２係止手段が前記支柱に回転可能に接続されていることを特徴とする前記（１）又は（２）に記載の底板落下防止装置。
【００１２】
（４）前記第１係止手段と前記第２係止手段が、フックであることを特徴とする前記（１）乃至（３）のいずれか１項に記載の底板落下防止装置。
【００１３】
（５）前記第１弾性体と前記第２弾性体が、バネであることを特徴とする前記（１）乃至（４）のいずれか１項に記載の底板落下防止装置。
【００１４】
（６）前記切断手段が、ダイヤモンドコアビットであることを特徴とする前記（１）乃至（５）のいずれか１項に記載の底板落下防止装置。
【００１５】
（７）前記係止盤が、リング形状の磁石と前記磁石が収納されるケースとを有し、前記ケースの中央部に複数の貫通孔を有することを特徴とする前記（１）乃至（６）のいずれか１項に記載の底板落下防止装置。
【発明の効果】
【００１６】
本発明によれば、デッキプレートの底板を除去した際の、底板の落下を防止するための底板落下防止装置を提供することができる。
【図面の簡単な説明】
【００１７】
【図１】本発明の底板落下防止装置の構成を示す図
【図２】本発明の底板落下防止装置の座金の機能を説明するための図
【図３】本発明の底板落下防止装置がダイヤモンドコアビットに装着された状態を示す図
【図４】本発明の底板落下防止装置の準備状態を示す図
【図５】本発明の底板落下防止装置がスリーブ管内に設置された状態を示す図
【図６】本発明の底板落下防止装置を用いて切断機により底板を切断している状態を示す図
【図７】本発明の底板落下防止装置によりデッキプレートの底板を切断した後の状態を示す図
【図８】従来のスリーブ管の設置状態を示す図
【発明を実施するための形態】
【００１８】
本発明を実施するための形態を、図面を参照しつつ以下に説明する。
【実施例１】
【００１９】
図１（ａ）は、底板落下防止装置１０の構成を示す斜視図である。底板落下防止装置１０は、上端部に接続具２１を備えた係止盤２０を有しており、接続具２１には第１バネ１６（第１弾性体）が係留された第１フック１７（第１係止手段）が係止されている。係止盤２０はケース２２にリング状の磁石２３が嵌められている。なお、図１（ｃ）に示したように係止盤２０の接続具２１は、ケース２２に対し回転自在に設置されている。ケース２２は、複数の貫通孔２２ａを有している。また、第１バネ１６の下端部には支柱１２が係留された第２フック１５（第２係止手段）が設置されている。第２フック１５は、支柱１２に対して自在に回転するよう構成されている。
【００２０】
更に、支柱１２の先端部には長尺形状の係留爪１１が図１（ｂ）に示したように軸１２ａを中心に回転可能に設置され、また係留爪１１とナット１４の間には第２バネ１３（第２弾性体）が設置されている。第２バネ１３の強さは、ナット１４によって調整される。更に、係留爪１１と第２バネ１３の間には座金１８が設置されており、座金１８は図１（ｂ）に示したように凹部１８ａが複数設置され中央に穴１８ｂを有している。なお、第２バネ１３は座金１８を係留爪１１に押し付ける機能を有している。
【００２１】
次に、図２を参照しつつ底板落下防止装置１０の座金１８の機能について説明する。図２（ａ）に示したように、長尺形状の係留爪１１は軸１２ａを中心に回転する。また、座金１８は第２バネ１３によって係留爪１１の側に付勢されている。図２（ｂ）は、係留爪１１を回転させて係留爪１１の先端部を座金１８の凹部１８ａに引っかけた状態を示している。座金１８は第２バネ１３によって付勢されているため、係留爪１１の先端部が凹部１８ａから外れることはない。後述するように、底板落下防止装置１０の係留爪１１は図２（ｂ）に示した状態で、所定の穴に挿入される。
【００２２】
図３は、底板落下防止装置１０がダイヤモンドコアビット３０の内部に設置された状態を示す断面図である。ダイヤモンドコアビット３０は、既に述べた底板７０ａの切断に使用される。ダイヤモンドコアビット３０は細長の円筒形状を有しており、先端部にダイヤモンド粒が埋め込まれた刃部３０ｂを有し、上端部には雌ネジが内部に切られた接続部３０ａを有している。この接続部３０ａは、後述する切断機６０（図６参照）に接続される。また、ダイヤモンドコアビット３０は、鋼鉄製である。
【００２３】
図３に示したように、底板落下防止装置１０は係止盤２０によってダイヤモンドコアビット３０の内部の上側端面に連結される。なお、係止盤２０はダイヤモンドコアビット３０が回転すると同時に回転するが、係止盤２０の接続具２１は回転しない。上記したように、係止盤２０の接続具２１は係止盤２０のケース２２に対し自由に回転することができるからである。
【００２４】
本発明の底板落下防止装置１０を用いてフロアーデッキに埋め込まれたスリーブ管５０の下側の底板７０ａを切断・除去する手順について、以下に説明する。
【００２５】
まず、図４（ａ）に示したように電気ドリル４０を用いてスリーブ管５０の下側の底板７０ａの中心部に穴を開ける。そして、図４（ｂ）に示したように開けられた穴７１に底板落下防止装置１０の係留爪１１を挿入し、底板落下防止装置１０の先端部を底板７０ａに係止する。この場合、係留爪１１は座金１８の凹部１８ａから外れ支柱１２と係留爪１１は、Ｔ字形を形成することになる。なお、係留爪１１を底板７０ａの穴７１に挿入する際には、係留爪１１を支柱１２に沿って略平行にした状態で挿入する。即ち、図２（ｂ）に示した状態である。図４（ｂ）は、底板落下防止装置１０の係留爪１１と支柱１２を底板７０ａに挿入する直前の状態を示す図である。
【００２６】
図５は、底板落下防止装置１０が装着されたダイヤモンドコアビット３０がスリーブ管５０の内部に設置された状態を示す断面図である。スリーブ管５０は、デッキプレート７０とデッキプレート７０上のコンクリート８０を貫通するように設置されている。そして、底板７０ａに開けられた穴７１を貫通して係留爪１１が支柱１２と共に突出している。この図５の状態から、ダイヤモンドコアビット３０が下降し刃部３０ｂが底板７０ａに着地する。なお、ダイヤモンドコアビット３０が底板７０ａに着地後、回転した場合第２フック１７は回転しない。また、ダイヤモンドコアビット３０の長さが変動した場合でも、その変動分は第１バネ１６が吸収する。
【００２７】
次に、図６に示したようにダイヤモンドコアビット３０の接続部３０ａに切断機６０を接続し、切断機６０を回転させる。この場合、切断機６０はダイヤモンドコアビット３０の先端部の刃部３０ｂを底板７０ａに押し付けられながら、回転する。このダイヤモンドコアビット３０の回転により、底板７０ａは切断される。なお、この場合、切断機６０の吸水口６０ａから水を供給してもよい。供給された水は、図５に示した接続部３０ａの内部に入り貫通孔２２ａを通って底板７０ａの上面を濡らす。その結果、ダイヤモンドコアビット３０による底板７０ａの切断作業が容易になる。
【００２８】
図７は、スリーブ管５０の底板５０ａを切断機６０によって切断した後の状態を、階下の側から見た図である。底板５０ａが係留爪１１に引っかかった状態で底板落下防止装置１０にぶら下がっていることが分かる。この状態で、底板落下防止装置１０をダイヤモンドコアビット３０と共に引き上げて底板５０ａを係留爪１１から外せば作業は終了する。
【００２９】
本発明の底板落下防止装置によれば、デッキプレートの底板を除去した際の、底板の落下を簡便に防止することができる。
【符号の説明】
【００３０】
１０    底板落下防止装置
１１    係留爪
１２    支柱
１２ａ  軸
１３    第２バネ（第２弾性体）
１４    ナット
１５    第２フック（第２係止手段）
１６    第１バネ（第１弾性体）
１７    第１フック（第１係止手段）
１８    座金
１８ａ  凹部
２０    係止盤
２１    接続部
３０    ダイヤモンドコアビット
７０ａ  底板
【図１】
0006649778.tif 000002
【図２】
0006649778.tif 000003
【図３】
0006649778.tif 000004
【図４】
0006649778.tif 000005
【図５】
0006649778.tif 000006
【図６】
0006649778.tif 000007
【図７】
0006649778.tif 000008
【図８】
0006649778.tif 000009